【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
外科的アクセスアセンブリであって、
滑らかな外壁であって、
鋭い端を持たず連続する周辺と、
楕円形の断面と、
圧力を前記外壁に沿って均等に分散して局所圧を最小化するよう適合された連続する輪郭と、
を有する滑らかな外壁と、
滑らかな内壁であって、
鋭い端を持たず連続する周辺と、
楕円形の断面と、
空洞アクセスチャンネルと、
滑らかで丸みのあるイントロデューサを受けるように適合された連続する輪郭と、
を有する滑らかな内壁と、
固定装置を受けるように適合された少なくとも２つの固定軸と、
を備えるリトラクタと、
前記空洞アクセスチャンネル内に合う輪郭およびサイズに適合され、鋭い端を持たない連続する周辺と、
前記イントロデューサの遠位端が前記リトラクタに挿入されると、前記空洞アクセチャンネルの端を越えて突き出し、連続した輪郭を形成する結節が突き出すような長さと、
を持つ前記滑らかで丸みのあるイントロデューサと、
を含む外科的アクセスアセンブリ。
【請求項２】
前記リトラクタの反対側に配置された固定軸を含む、請求項１に記載の外科的アクセスアセンブリ。
【請求項３】
前記固定装置がネジである、請求項２に記載の外科的アクセスアセンブリ。
【請求項４】
前記リトラクタがその上部周辺を形成するフランジを持ち、組織のクリープを防いで、上部に押し出されないよう適合される、請求項１に記載の外科的アクセスアセンブリ。
【請求項５】
前記リトラクタがテーパ状の前縁を含み、組織のクリープを防いで、上部に押し出されないよう適合される、請求項１に記載の外科的アクセスアセンブリ。
【請求項６】
前記イントロデューサが空洞である、請求項１に記載の外科的アクセスアセンブリ。
【請求項７】
前記外科的アクセスアセンブリが、執刀医またはグリップ装置が握るよう適合された前記イントロデューサ上にグリップをさらに含む、請求項１に記載の外科的アクセスアセンブリ。
【請求項８】
前記グリップがサムグリップである、請求項７に記載の外科的アクセスアセンブリ。
【請求項９】
前記外科的アクセスアセンブリが、軽量で生体適合性のある材料から作られる、請求項１に記載の外科的アクセスアセンブリ。
【請求項１０】
前記外科的アクセスアセンブリが、軽量で生体適合性があり、透明な材料から作られる、請求項１に記載の外科的アクセスアセンブリ。
【請求項１１】
前記外科的アクセスアセンブリが、生体適合性のある形状記憶材料から作られる、請求項１に記載の外科的アクセスアセンブリ。
【請求項１２】
前記イントロデューサが、固定装置が通過するよう適合された前記固定軸に入るよう配置された空洞スリーブを持つ、請求項１に記載の外科的アクセスアセンブリ。
【請求項１３】
第一半部分および第二半部分を備えるリトラクタであって、
前記第二半部分は前記第一半部分をつかんで楕円形断面の閉鎖周辺を形成し、
前記第一半部分は、実質的に「Ｕ」字型で、前記外壁に沿って圧力を均等に分散し、局所引き込み圧を最小化するよう適合され、前記第二半部分の内壁にぴったり合うように成形され、前記第二半部分の内壁が前記第一半部分の外壁を越えてスライドする連続した無い輪郭を持つ滑らかな外壁と、
実質的に「Ｕ」字型の滑らかな内壁とを持ち、
前記第二半部分は、実質的に「Ｕ」字型で、前記外壁に沿って圧力を均等に分散し、局所引き込み圧を最小化するよう適合された連続した輪郭を持つ滑らかな外壁と、
前記第一半部分の外壁にぴったり合うように適合され、前記第一半部分の壁が前記第二半部分壁を越えてスライドする連続した輪郭とを持ち、
前記第一半部分および第二半部分は滑らかで丸みのあるイントロデューサを受け、前記第一半部分および第二半部分をそれぞれスライドさせることによって前記リトラクタを伸縮し、空洞アクセスチャンバが様々なサイズになるよう適合された前記外科的アクセスアセンブリを提供するよう適合され、
固定装置を受けるよう適合された固定軸と、を備えるリトラクタと、
前記滑らかで丸みのあるイントロデューサであって、
前記空洞アクセスチャンネル内に合うような輪郭およびサイズに適合された鋭い端を持たない連続する周辺と、
前記イントロデューサの遠位端が前記リトラクタに挿入されると、前記空洞アクセスチャンネルの端を越えて突き出して、滑らかな輪郭を形成する結節が突き出すような長さと、を持つイントロデューサと、を含む外科的アクセスアセンブリ。
【請求項１４】
前記固定装置に取り付けるよう適合されたディストラクタをさらに含む、請求項１３に記載の外科的アクセスアセンブリ。
【請求項１５】
前記リトラクタに取り付けるよう適合されたディストラクタをさらに含む、請求項１３に記載の外科的アクセスアセンブリ。
【請求項１６】
前記リトラクタに取り付けるよう適合され、前記ディストラクタが前記リトラクタ上に取り付けられている間、前記固定軸への前記固定装置のアクセスを可能にするようさらに適合されたディストラクタをさらに含む、請求項１３に記載の外科的アクセスアセンブリ。
【請求項１７】
前記ディストラクタが前記リトラクタの伸縮を提供するよう適合された、請求項１４、１５、または１６のいずれかに記載の外科的アクセスアセンブリ。
【請求項１８】
前記リトラクタが患者の体内の構造に取り付けられるまで、前記第一半部分および前記第二半部分をともに固定するよう前記イントロデューサが適合される、請求項１３に記載の外科的アクセスアセンブリ。
【請求項１９】
前記リトラクタの反対側に配置された固定軸を含む、請求項１３に記載の外科的アクセスアセンブリ。
【請求項２０】
前記固定装置がネジである、請求項１９に記載の外科的アクセスアセンブリ。
【請求項２１】
前記リトラクタがその上部周辺を形成するフランジを持ち、組織のクリープを防いで、前記リトラクタの上部に押し出されないよう適合される、請求項１３に記載の外科的アクセスアセンブリ。
【請求項２２】
前記リトラクタがテーパ状の前縁を含み、組織のクリープを防いで、前記リトラクタの上部に押し出されないよう適合される、請求項１３に記載の外科的アクセスアセンブリ。
【請求項２３】
前記イントロデューサが空洞である、請求項１３に記載の外科的アクセスアセンブリ。
【請求項２４】
前記外科的アクセスアセンブリが執刀医またはグリップ装置が握るよう適合されたグリップを前記イントロデューサ上にさらに含む、請求項１３に記載の外科的アクセスアセンブリ。
【請求項２５】
前記グリップがサムグリップである、請求項２４に記載の外科的アクセスアセンブリ。
【請求項２６】
前記外科的アクセスアセンブリが、軽量で生体適合性のある材料から作られる、請求項１３に記載の外科的アクセスアセンブリ。
【請求項２７】
前記外科的アクセスアセンブリが、軽量で生体適合性のある透明材料から作られる、請求項１３に記載の外科的アクセスアセンブリ。
【請求項２８】
前記外科的アクセスアセンブリが、生体適合性のある形状記憶材料から作られる、請求項１３に記載の外科的アクセスアセンブリ。
【請求項２９】
前記イントロデューサが、固定装置が通過するよう適合された前記固定軸に入るよう配置された空洞スリーブを持つ、請求項１３に記載の外科的アクセスアセンブリ。
【請求項３０】
鉤端を提供して、前記リトラクタが過剰に拡張しないよう前記第一半部分および前記第二半部分が適合される、請求項１３に記載の外科的アクセスアセンブリ。